(57)【要約】【課題】撮影範囲をより良好に認識可能なカメラ及び撮影範囲認識装置を提供する。【解決手段】本発明のカメラ１は、被写体３が存在する任意の範囲を撮影範囲撮影範囲ＰＡとして撮影する撮影部１１と、被写体３側に向けて、前記撮影範囲撮影範囲ＰＡより広い範囲ＬＡに光を照射可能な発光部４１と、前記発光部４１から照射される光のうちの前記撮影範囲撮影範囲ＰＡ内に照射される光を遮光可能な遮光部４２と、を備えること、を特徴とする。【選択図】図６
2013130599.tif 000002
【特許請求の範囲】
【請求項１】
被写体が存在する任意の範囲を撮影範囲として撮影する撮影部と、
被写体側に向けて、前記撮影範囲より広い範囲に光を照射可能な発光部と、
前記発光部から照射される光のうちの前記撮影範囲内に照射される光を遮光可能な遮光部と、
を備えるカメラ。
【請求項２】
請求項１に記載のカメラであって、
前記遮光部により遮光される前記光の前記撮影範囲内における遮光範囲を、撮影される被写体像とともに表示可能な表示部と、
前記遮光範囲を調整可能な調整部と、を備えること、
を特徴とするカメラ。
【請求項３】
請求項２に記載のカメラであって、
前記調整部は、前記撮影範囲の変化に応じて、前記遮光範囲を自動的に調整すること、
を特徴とするカメラ。
【請求項４】
請求項２から３のいずれかに記載のカメラであって、
前記遮光部は、前記発光部の光の照射方向のうち第１の方向に照射される光を遮光することで遮光範囲を変更可能な開閉構造を備え、
前記調整部は、前記開閉構造を操作することで前記遮光範囲を調整すること、
を特徴とするカメラ。
【請求項５】
請求項４に記載のカメラであって、
前記開閉構造は、前記第１の方向とは異なる第２の方向に照射される光を遮光することで遮光範囲を変更可能であること、
を特徴とするカメラ。
【請求項６】
請求項１から５のいずれか１項に記載のカメラであって、
前記発光部は、オートフォーカスの補助光として機能すること、
を特徴とするカメラ。
【請求項７】
請求項１から６のいずれか１項に記載のカメラであって、
前記発光部及び前記遮光部は、駆動及び非駆動の選択が可能であること、
を特徴とするカメラ。
【請求項８】
被写体が存在する任意の範囲を撮影範囲として撮影する撮影部と、
被写体側に向けて、前記撮影範囲より広い範囲に光を照射可能な発光部と、
前記発光部から照射される光のうちの前記撮影範囲内に照射される光を遮光可能な遮光部と、
を備える撮影範囲認識装置。
【発明の詳細な説明】
【技術分野】
【０００１】
本発明は、カメラ及び撮影範囲認識装置に関するものである。
【背景技術】
【０００２】
集合写真等のように複数人を撮影する際、被写体側の人物からは、撮影範囲が認識できないために、撮影範囲内に人物を誘導するまでに時間がかかったり、写真から人物がはみ出ていたことを、撮影後に気づいたりする場合がある。
このような事態を防止するため、従来、撮影範囲に光を照射することにより撮影範囲を認識させる技術がある（例えば、特許文献１参照）。
【先行技術文献】
【特許文献】
【０００３】
【特許文献１】特開２００８−１３４４３７号公報
【発明の概要】
【発明が解決しようとする課題】
【０００４】
しかし、上記従来技術は、撮影範囲に光を照射するため、被写体側の人物が眩しさを感じる。また、撮影時には光を消す必要もあるため、撮影時にオンオフする構造も必要となる。
【０００５】
本発明の課題は、撮影範囲をより良好に認識可能なカメラ及び撮影範囲認識装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、被写体（３）が存在する任意の範囲を撮影範囲撮影範囲（ＰＡ）として撮影する撮影部（１１）と、被写体（３）側に向けて、前記撮影範囲撮影範囲（ＰＡ）より広い範囲（ＬＡ）に光を照射可能な発光部（４１）と、前記発光部（４１）から照射される光のうちの前記撮影範囲撮影範囲（ＰＡ）内に照射される光を遮光可能な遮光部（４２）と、を備えるカメラ（１）である。
請求項２に記載の発明は、請求項１に記載のカメラ（１）であって、前記遮光部（４２）により遮光される前記光の前記撮影範囲（ＰＡ）内における遮光範囲（ＳＡ）を、撮影される被写体像（３）とともに表示可能な表示部（１３）と、前記遮光範囲（ＳＡ）を調整可能な調整部（３１）と、を備えること、を特徴とするカメラ（１）である。
請求項３に記載の発明は、請求項２に記載のカメラ（１）であって、前記調整部（３１）は、前記撮影範囲撮影範囲（ＰＡ）の変化に応じて、前記遮光範囲（ＳＡ）を自動的に調整すること、を特徴とするカメラ（１）である。
請求項４に記載の発明は、請求項２から３のいずれかに記載のカメラ（１）であって、前記遮光部（４２）は、前記発光部（４１）の光の照射方向のうち第１の方向に照射される光を遮光することで遮光範囲（ＳＡ）を変更可能な開閉構造（４２Ａ，４２Ｂ）を備え、前記調整部（３１）は、前記開閉構造（４２Ａ，４２Ｂ）を操作することで前記遮光範囲（ＳＡ）を調整すること、を特徴とするカメラ（１）である。
請求項５に記載の発明は、請求項４に記載のカメラ（１）であって、前記開閉構造（４２Ａ，４２Ｂ）は、前記第１の方向とは異なる第２の方向に照射される光を遮光することで遮光範囲（ＳＡ）を変更可能であること、を特徴とするカメラ（１）である。
請求項６に記載の発明は、請求項１から５のいずれか１項に記載のカメラ（１）であって、前記発光部（４１）は、オートフォーカスの補助光として機能すること、を特徴とするカメラ（１）である。
請求項７に記載の発明は、請求項１から６のいずれか１項に記載のカメラ（１）であって、前記発光部（４１）及び前記遮光部（４２）は、駆動及び非駆動の選択が可能であること、を特徴とするカメラ（１）である。
請求項８に記載の発明は、被写体（３）が存在する任意の範囲を撮影範囲撮影範囲（ＰＡ）として撮影する撮影部（１１）と、被写体（３）側に向けて、前記撮影範囲撮影範囲（ＰＡ）より広い範囲に光を照射可能な発光部（４１）と、前記発光部（４１）から照射される光のうちの前記撮影範囲撮影範囲（ＰＡ）内に照射される光を遮光可能な遮光部（４２）と、を備える撮影範囲撮影範囲認識装置（３０）である。
なお、符号を付して説明した構成は、適宜改良してもよく、また、少なくとも一部を他の構成物に代替してもよい。
【発明の効果】
【０００８】
本発明によれば、撮影範囲をより良好に認識可能なカメラ及び撮影範囲認識装置を提供することができる。
【図面の簡単な説明】
【０００９】
【図１】本発明における撮影範囲認識装置の一実施形態を備えるカメラの外観正面図である。
【図２】カメラのブロック構成図である。
【図３】撮影範囲認識装置を概念的に示す平面図である。
【図４】撮影範囲認識装置の投光作用を説明する図である。
【図５】撮影範囲認識装置における投光範囲の説明図である。
【図６】カメラの撮影範囲に対応させて撮影範囲認識装置の投光範囲を調整する説明図である。
【図７】変形例におけるカメラのブロック構成図である。
【発明を実施するための形態】
【００１０】
以下、図面等を参照して、本発明の実施形態について説明する。
図１は、本発明における撮影範囲認識装置の一実施形態を備えるカメラ１の外観正面図である。図２は、カメラ１のブロック構成図である。
なお、以下に示す各図には、説明と理解を容易にするために、適宜ＸＹＺ直交座標系を設けた。この座標系では、撮影者が光軸Ａを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【００１１】
図１および図２に示すように、カメラ１は、カメラ本体１０に、結像光学系であるレンズ２０と、撮影範囲認識装置３０と、を備えている。なお、カメラ１は、画像情報を電子的に記録するいわゆるデジタルカメラであって、静止画と動画の何れも撮影可能である。
カメラ本体１０は、撮像素子１１と、画像処理部１２と、表示部１３と、制御部１４（図２に示す）と、シャッタボタン１５（図１に示す）と、を備えている。
【００１２】
撮像素子１１は、ＣＣＤ等の光電変換素子によって構成され、レンズ２０によって結像された被写体像光を電気信号に変換して撮像する。
画像処理部１２は、撮像素子１１から出力されるアナログの画像情報をＡ／Ｄ変換すると共に画像処理して画像データを生成する。
表示部１３は、液晶パネル等の表示パネルを備え、その表示パネルに画像処理部１２が処理した画像を表示する。
【００１３】
制御部１４は、当該カメラ１の各構成要素を統括制御する。また、制御部１４には、レンズ２０から固有情報、撮影者２によるズーム操作情報（焦点距離情報）、撮影範囲認識装置３０から操作機構３１の操作情報が入力される。制御部１４は、これらの入力情報に基づいて、撮影範囲に対する撮影範囲認識装置３０による投光範囲を演算し、投光範囲を撮像素子１１が撮像した画像に重ねて表示部１３に表示する。これについては後に詳述する。
シャッタボタン１５は、押下操作されることにより、制御部１４に対して撮影を指令するスイッチである。
【００１４】
レンズ２０は、焦点距離を可変調節可能なズームレンズであって、ズーム機構２１の操作によって焦点距離が変化する。なお、レンズ２０は、ズームレンズに限るものではなく、単焦点のレンズであっても良い。
撮影範囲認識装置３０は、撮影範囲を認識させる光（撮影範囲認識光）を投光する。撮影範囲認識光は、撮影範囲内は照らさず、撮影範囲外を照らす。この撮影範囲認識装置３０については、後に詳述する。
【００１５】
そして、上記構成によるカメラ１は、制御部１４によって制御され、撮影待機時には、表示部１３に撮像素子１１による撮像（スルー画像）を表示し、シャッタボタン１５の押下操作によって撮影が指令されると、画像データを図示しない記録媒体等に記録する（撮影する）。
撮影者２は、表示部１３に表示される画像で撮影範囲を確認しつつ、レンズ２０におけるズーム機構２１を操作して撮像範囲を任意に調整し、シャッタボタン１５を押下操作して撮影を指令する。
【００１６】
つぎに、図３〜図５を参照して、撮影範囲認識装置３０について説明する。
図３は、撮影範囲認識装置３０を概念的に示す平面図である。図４は、撮影範囲認識装置３０の投光作用を説明する図である。図５は、撮影範囲認識装置３０における投光範囲ＬＡの説明図である。図６は、カメラ１の撮影範囲ＰＡに対応させて撮影範囲認識装置３０の投光範囲ＬＡを調整する説明図である。
【００１７】
図２および図３に示すように、撮影範囲認識装置３０は、投光部４０と、操作機構３１と、により構成されている。
投光部４０は、発光部４１と、遮光域設定体４２と、を備えている。
発光部４１は、たとえばＬＥＤ等の光源を備えて構成され、可視光（撮影範囲認識光）を出射する。図５（ａ）に示すように、発光部４１からの撮影範囲認識光の投光範囲ＬＡは、カメラ１におけるレンズ２０の最短焦点距離による（最も広角側の）撮影範囲ＰＡｍａｘより広く設定されている。特に、投光範囲ＬＡのＸ軸方向における幅ＬＡｗは、撮影範囲ＰＡｍａｘのＸ軸方向における幅（撮影幅ＰＡｗｍａｘ）より所定量大きく設定されている。
【００１８】
図３（ｃ）に示すように、遮光域設定体４２は、一対の遮光板４２Ａが、支持軸４２Ｂにそれぞれ揺動可能に枢着されて構成されている。
遮光板４２Ａは、所定縦横比の矩形の薄い板状であって、支持軸４２Ｂを中心として、図３（ａ）に示す両者の狭角が０°から、図３（ｂ）に示すように所定角度（最大１８０°）まで揺動し得るように設けられている。
【００１９】
そして、遮光域設定体４２は、支持軸４２ＢをＹ軸と平行として、発光部４１の前面側（出射側）に所定間隔離間して配設されている。これにより、図３（ａ）および図４に示すように、遮光域設定体４２は、遮光板４２Ａが発光部４１からの撮影範囲認識光Ｌを遮って影となる領域（遮光範囲ＳＡ）を形成する。
【００２０】
ここで、遮光域設定体４２は、その遮光板４２Ａを揺動させることで、投光によって形成される遮光範囲ＳＡのＸ軸方向における大きさ（遮光幅ＳＡｗ）を、カメラ１の撮影対象距離内における任意の距離にある被写体面において、カメラ１による撮影範囲ＰＡのＸ軸方向における幅（撮影幅ＰＡｗ）と対応させることができるように構成されている。
つまり、カメラ１の撮影範囲ＰＡはレンズ２０のズーム操作によって変化するが、遮光板４２Ａの揺動角度を変更することで、図５（ｂ），（ｃ）に示すように、遮光幅ＳＡｗを変化する撮影幅ＰＡｗｍａｘ〜ＰＡｗｍｉｎに一致させることができるようになっている。
図５（ｂ）はレンズ２０の焦点距離が最も短い広角側（撮影範囲ＰＡｍａｘ＝撮影幅ＰＡｗｍａｘ）の状態を、図５（ｃ）はレンズ２０の焦点距離が最も長い望遠側（撮影範囲ＰＡｍｉｎ＝撮影幅ＰＡｗｍｉｎ）の状態を、それぞれ示している。
【００２１】
図５（ｂ），（ｃ）に示すように遮光域設定体４２によって形成される遮光幅ＳＡｗが、撮影幅ＰＡｗ（ＰＡｗｍａｘ，ＰＡｗｍｉｎ）と一致した状態では、撮影範囲ＰＡは遮光範囲ＳＡと重なって撮影範囲認識光が到達せず、撮影範囲ＰＡの外は撮影範囲認識光に照らされる。これにより、撮影範囲ＰＡのＸ軸方向内に位置する被撮影者３には光（撮影範囲認識光）は見えず、撮影領域ＰＡの外に位置する被撮影者３′には撮影範囲認識光が見えることとなる。
【００２２】
操作機構３１は、カメラ本体１０の上面に設けられた操作ツマミ３１Ａ（図１および図５に示す）によって、遮光域設定体４２に連繋したギアトレイン等を介して遮光板４２Ａを揺動操作可能に構成されている。
また、操作ツマミ３１Ａによる操作機構３１を介した遮光板４２Ａの操作情報は、図２に示すように、制御部１４に入力されるようになっている。この操作情報は、前述したように、制御部１４による表示部１３への遮光範囲ＳＡの表示演算のための情報となる。
【００２３】
そして、上記のように構成された撮影範囲認識装置３０は、下記のように作用する。
図６に示すように、カメラ１は、撮影待機時において、撮像素子１１による撮像を表示部１３に表示すると共に、撮影範囲認識装置３０から撮影範囲認識光Ｌを投光する。制御部１４は、ズーム操作情報（焦点距離情報）と撮影範囲認識装置３０における操作機構３１の操作情報に基づいて、撮影範囲ＰＡに対する撮影範囲認識装置３０の投光範囲における遮光範囲ＳＡを演算し、その遮光範囲ＳＡの領域を表示部１３に撮像画像と重ねて表示する。
図６に示す表示部１３には、遮光範囲ＳＡの領域は通常通りの画像が表示され、遮光範囲ＳＡより外側の領域は暗転されて表示されている。なお、これらの表示は、遮光範囲ＳＡの境界が解れば良く、単純な線によって示しても良い。
【００２４】
撮影者は、表示部１３に表示された画像を確認しつつ、レンズ２０のズーム機構を操作して撮影範囲ＰＡを決定する。そして、図６に示すように、撮影範囲認識光Ｌにおける遮光幅ＳＡｗと、撮影範囲ＰＡの幅ＰＡｗとが不一致の場合には、撮影者は、操作ツマミ３１Ａを操作して遮光幅ＳＡｗを、撮影範囲ＰＡの幅ＰＡｗに一致させる。
【００２５】
これにより、被撮影者３は、撮影範囲認識光Ｌが見えるか見えないかによって、自身がカメラ１の撮影範囲ＰＡ内に居るのか居ないのかを視覚的に認識できるようになる。すなわち、被撮影者３が撮影範囲ＰＡ内に位置していれば撮影範囲認識光Ｌは見えず、撮影範囲ＰＡから外れて位置していれば撮影範囲認識光Ｌが見える。
【００２６】
たとえば、集合写真の場合には、最も側端に位置する被撮影者３に撮影範囲認識光Ｌが見えない位置に移動してもらうことで撮影が容易となる。また、セルフタイマーによる撮影時には、撮影者が容易かつ確実に撮影範囲ＰＡに入ることが可能となる。これは、静止画および動画のいずれの場合においても同様に機能する。
なお、撮影範囲認識光Ｌは撮影範囲ＰＡを照らさないため、光量が大きくても、被撮影者３が眩しさを感じたり、撮影範囲認識光Ｌが画像に写り込んだりすることはない。
【００２７】
以上、本実施形態によると、以下の効果を有する。
（１）カメラ１が備える撮影範囲認識装置３０は、撮影範囲認識光Ｌをカメラ１における撮影範囲ＰＡより広い投光範囲ＬＡに投光すると共に、その投光範囲ＬＡ内に、撮影範囲認識光Ｌを遮って撮影範囲ＰＡと対応する遮光範囲ＳＡを形成することができる。これにより、被撮影者３が撮影範囲ＰＡ内に位置していれば撮影範囲認識光Ｌは見えず、撮影範囲ＰＡから外れて位置していれば撮影範囲認識光Ｌが見えることとなり、被撮影者３が撮撮影範囲ＰＡを認識することが可能となる。
【００２８】
（２）撮影範囲ＰＡを遮光範囲ＳＡによって認識させるため、撮影範囲認識光Ｌは撮影範囲ＰＡを照らさない。このため、撮影範囲認識光Ｌによって撮影範囲ＰＡに位置する被撮影者３が眩しさを感じることはない。また、撮影範囲認識光Ｌが写り込むことがなく、露出等撮影条件に影響を与えることもない。
【００２９】
（変形形態）
以上、説明した実施形態に限定されることなく、以下に示すような種々の変形や変更が可能であり、それらも本発明の範囲内である。
（１）本実施形態では、撮影範囲認識装置３０は遮光域設定体４２における支持軸４２ＢをＹ軸と平行として設けられており、Ｘ軸方向における撮影範囲ＰＡを認識させるように機能する。これは、最も一般的なカメラ１を横位置に構えて撮影する場合に対応させたものである。
しかし、撮影範囲ＰＡを認識させる方向はこれに限らず、遮光域設定体４２における支持軸４２ＢをＸ軸と平行な姿勢として配設し、Ｙ軸方向における撮影範囲を認識させるように構成して縦位置撮影に対応させるようにしても良い。
また、本実施形態のような撮影範囲認識装置３０をＺ軸と平行な軸回りに９０°回転可能に構成し、カメラの撮影姿勢や被写体内容に応じて撮影範囲の認識方向を選択できるように構成しても良い。
さらに、カメラにジャイロセンサ等の姿勢を感知する検出装置を備え、撮影範囲の認識方向を自動的に水平方向とするように構成しても良い。
【００３０】
（２）本実施形態では、撮影範囲認識装置３０における投光部４０の発光部４１は、専用のものであるが、オートフォーカス用の補助光用の発光部を必要とするカメラで有れば、発光部を共用するように構成しても良い。
また、撮影範囲認識装置３０の駆動及び非駆動を設定可能としても良く、さらに、投光部４０における発光部４１の光量を調節可能としても良い。
発光部４１の光量を調節可能とすることにより、周囲の明るさにもよるが、撮影範囲認識光によって撮影者がノーファインダーで画角を決定して撮影することも可能となる。そのような撮影の場合には、表示部１３に撮影範囲認識装置３０の投光範囲を表示しなくても良い。
【００３１】
（３）本実施形態では、撮影範囲認識装置３０は、カメラに一体に内蔵されている構成を例示した。しかし、撮影範囲認識装置３０を独立した別体に構成し、アクセサリシューに制御部１４と通信可能に装着するようにしても良い。
【００３２】
（４）また、本実施形態では、撮影範囲認識装置３０の遮光範囲ＳＡの領域を表示部１３に撮像画像と重ねて表示し、撮影者が手動操作で撮影範囲認識光Ｌの遮光幅ＳＡｗを撮影範囲ＰＡの幅ＰＡｗに一致させる。
しかし、撮影範囲認識光Ｌにおける遮光幅ＳＡｗを撮影範囲ＰＡの幅ＰＡｗに一致させる作用を、制御部１４の制御によって自動的に行うように構成しても良い。
【００３３】
すなわち、撮影範囲認識装置３０における操作機構３１をモータ駆動等とし、制御部１４が、レンズ２０におけるズーム機構２１の操作情報（焦点距離情報）と、撮影範囲認識装置３０における操作機構３１の操作情報と、に基づいて、撮影範囲ＰＡに対する撮影範囲認識装置３０の投光範囲における遮光範囲ＳＡがレンズ２０による画角（撮影範囲）と一致する駆動量を演算し、操作機構３１を駆動するように構成するものである。
【００３４】
（５）さらに、本実施形態は、撮影範囲の設定を表示部１３によって行うデジタルカメラに本発明を適用したものである。しかし、本発明は、光学ファインダを備えるカメラにも適用可能である。
図７は、光学ファインダ１６を備えるカメラ１′のブロック構成図である。図中、図２と共通する構成要素には同符号が付してある。
【００３５】
図７にブロック構成図を示すカメラ１′は、光学ファインダ１６の内部に、撮影範囲認識装置３０の遮光範囲ＳＡの領域を、光学像と重ねて表示可能な表示機構１６Ａ（たとえば透過型液晶パネル等）を備え、制御部１４が、撮影範囲認識装置３０における操作機構３１と表示機構１６Ａとを連繋させて駆動するものである。
なお、光学ファインダ１６における表示機構１６Ａを、本実施形態のように撮影者が手動で操作する構成としても良いことは言うまでもない。
【００３６】
なお、実施形態及び変形形態は、適宜組み合わせて用いることもできるが、詳細な説明は省略する。また、本発明は以上説明した実施形態によって限定されることはない。
【符号の説明】
【００３７】
１，１′：カメラ、２０：レンズ、３０：撮影範囲認識装置、３１：操作機構、３１Ａ：操作ツマミ、４０：投光部、４１：発光部、４２：遮光域設定体、４２Ａ：遮光板、４２Ｂ：支持軸、ＬＡ：投光範囲、ＰＡ：撮影範囲、ＳＡ：遮光範囲
【図１】
2013130599.tif 000003
【図２】
2013130599.tif 000004
【図３】
2013130599.tif 000005
【図４】
2013130599.tif 000006
【図５】
2013130599.tif 000007
【図６】
2013130599.tif 000008
【図７】
2013130599.tif 000009